(57)【要約】【課題】予めフランジ付き雄ねじ筒や、給湯通路及び戻湯通路の金具の回り止め位置を調整することなく、ワンタッチでフランジ付き雄ねじ筒に接続できるようにすると共に、金網ストレーナをワンタッチで外被できるようにした浴槽湯口仕切装置を提供する。【解決手段】浴槽湯口仕切装置１０を、フランジ付き雄ねじ筒２０に接続するために、湯管１５の後端の外周面に山形突条１６を形成して、雄ねじ筒２０の前端内周面２３に刻設した山形突条２４に噛合して嵌入し、筒１１又は筒１２の側壁に取り付けた係合具５０を、雄ねじ筒２０のフランジ２１に係合できるようにしたもの。【選択図】    図１
2004261459.tif 000002
【特許請求の範囲】
【請求項１】
金網ストレーナ４０、前記金網ストレーナ４０内に収納される浴槽湯口仕切装置１０、前記浴槽湯口仕切装置１０に接続されるフランジ付き雄ねじ筒２０、前記フランジ付き雄ねじ筒２０に接続される給湯通路及び戻湯通路の金具３０、前記給湯通路及び戻湯通路の金具３０に連結される給湯配管及び戻湯配管、前記給湯配管及び戻湯配管に連結される循環風呂釜装置において、前記浴槽湯口仕切装置１０が、給湯を流出する第１筒１１と、これに連通した第１湯管１４であって、前記フランジ付き雄ねじ筒２０内を突出して前記給湯通路及び戻湯通路の金具３０の給湯通路３１に連通する内筒３０１に嵌入されるものと、戻湯を流入する第２筒１２と、これに連通した第２湯管１５であって、前記フランジ付き雄ねじ筒２０の内周面２３と連通して前記給湯通路及び戻湯通路の金具３０の戻湯通路３２に連通するものとを備えてなり、前記フランジ付き雄ねじ筒２０と接続するために、第２湯管１５の後端の外周面に形成した山形突条１６を、前記フランジ付き雄ねじ筒２０の前端の内周面２３に刻設した山形突条２４に噛合して嵌入できるようにすると共に、前記フランジ付き雄ねじ筒２０のフランジ２１に着脱可能に係合する係合具５０を前記第１筒１１、又は、前記第２筒１２の側壁に取り付けたことを特徴とする浴槽湯口仕切装置。
【請求項２】
金網ストレーナ４０を、上部をフランジ付き雄ねじ筒２０のフランジ２１に係合させると共に、下部を前面１００に係合させて嵌合させて外被させるようにしたことを特徴とする浴槽湯口仕切装置。
【発明の詳細な説明】
【０００１】
【発明の属する技術分野】
本発明は、フランジ付き雄ねじ筒に接続しやすく、金網ストレーナを外被しやすくした浴槽湯口仕切装置に関する。
【０００２】
【従来の技術】
従来、この種の浴槽湯口仕切装置は、フランジ付き雄ねじ筒に接続する際に、両者をネジ止めしていたが、作業が面倒な上に、雄ねじ筒やこれと螺合する給湯通路及び戻湯通路の金具の回り止め位置を予め調整しておく必要があった。
また、浴槽湯口仕切装置に外被する金網ストレーナは、外被したのち左方向、又は右方向に回転させて嵌合する必要があり、嵌合が不充分なとき脱離する恐れがあった。
【０００３】
【発明が解決しようとする課題】
本発明は、予めフランジ付き雄ねじ筒や、給湯通路及び戻湯通路の金具の回り止め位置を調整することなく、ワンタッチでフランジ付き雄ねじ筒に接続できるようにした浴槽湯口仕切装置を提供するものである。
また、本発明は、金網ストレーナをワンタッチで押し込んで、外被できるようにした浴槽湯口仕切装置を提供するものである。
【０００４】
【課題を解決するための手段】
本発明浴槽湯口仕切装置は、上記課題を達成するため、図示するように、金網ストレーナ４０、前記金網ストレーナ４０内に収納される浴槽湯口仕切装置１０、前記浴槽湯口仕切装置１０に接続されるフランジ付き雄ねじ筒２０、前記フランジ付き雄ねじ筒２０に接続される給湯通路及び戻湯通路の金具３０、前記給湯通路及び戻湯通路の金具３０に連結される給湯配管及び戻湯配管、前記給湯配管及び戻湯配管に連結される循環風呂釜装置において、前記浴槽湯口仕切装置１０が、給湯を流出する第１筒１１と、これに連通した第１湯管１４であって、前記フランジ付き雄ねじ筒２０内を突出して前記給湯通路及び戻湯通路の金具３０の給湯通路３１に連通する内筒３０１に嵌入されるものと、戻湯を流入する第２筒１２と、これに連通した第２湯管１５であって、前記フランジ付き雄ねじ筒２０の内周面２３と連通して前記給湯通路及び戻湯通路の金具３０の戻湯通路３２に連通するものとを備えてなり、前記フランジ付き雄ねじ筒２０と接続するために、第２湯管１５の後端の外周面に形成した山形突条１６を、前記フランジ付き雄ねじ筒２０の前端の内周面２３に刻設した山形突条２４に噛合して嵌入できるようにすると共に、前記フランジ付き雄ねじ筒２０のフランジ２１に着脱可能に係合する係合具５０を前記第１筒１１、又は、前記第２筒１２の側壁に取り付けるようにしたものである。
また、本発明浴槽湯口仕切装置は、上記課題を達成するため、図示するように、金網ストレーナ４０を、上部をフランジ付き雄ねじ筒２０のフランジ２１に係合させると共に、下部を前面１００に係合させて嵌合させて外被させるようにしたものである。
本発明において、浴槽湯口仕切装置は、先の特許出願（特願２００３−３３０３５号）に適用されることは勿論、これ以外の仕切装置にも広く適用されるものである。
また、本発明において、浴槽湯口仕切装置は、フランジ付き雄ねじ筒２０に嵌入させて回転止めするためには、前者の山形突条１６と後者の山形突条２４とを噛合させるが、噛合させるための山形突条１６又は２４は山形以外の形状であってもよく、また、突条数は回転止めになるならば任意の数でよい。
また、本発明において、浴槽湯口仕切装置を、フランジ付き雄ねじ筒２０に嵌入して回転止めしたのち、フランジ付き雄ねじ筒２０から脱離しないようにするための係合具５０は、図６に示す爪５１、レバー５２及び可撓片５３を有するもののほか、図７に示す爪５１Ｂ及び可撓片５３Ｂを有するもの、又は、図８に示す爪５１Ｃ、レバー５２Ｃ及び可撓片５３Ｃを有するものなどでもよい。
さらに、浴槽湯口仕切装置に、ワンタッチで金網ストレーナ４０を外被させるためには、金網ストレーナ４０の上部をフランジ付き雄ねじ筒２０のフランジ２１に断面フック状にフランジ２１の半円にわたって外嵌させると共に、下部に設けた少なくとも２突起４２、４２を前面１００に形成した突条１８に金網ストレーナ４０の僅かな弾性力を利用して引っ掛けるように係合することが好ましい。
【０００５】
【発明の実施の形態】
本発明の実施の形態が図１乃至図６に示されている。
図１及び図２に示すように、本発明装置を含む全体装置は、金網ストレーナ４０、前記金網ストレーナ４０内に収納される浴槽湯口仕切装置１０、前記浴槽湯口仕切装置１０に接続されるフランジ付き雄ねじ筒２０、前記フランジ付き雄ねじ筒２０に接続される給湯通路及び戻湯通路の金具３０、前記給湯通路及び戻湯通路の金具３０に連結する給湯配管及び戻湯配管（図示しない）、前記給湯配管及び戻湯配管に連結する循環風呂釜装置（図示しない）からなっている。
浴槽湯口仕切装置１０は、第１筒１１と、第２筒１２と、第１筒１１と連通するように連設した第１湯管１４と、第２筒１２に連通するように連設すると共に、第１湯管１４の外周面に沿って設けた第２湯管１５とからなっている。
第１筒１１には筒側面に第１流通口１１０を形成し、第２筒１２には筒側面に第２流通口１２０を形成している。第１湯管１４はフランジ付き雄ねじ筒２０を突出して給湯通路及び戻湯通路の金具３０の給湯通路３１に連通する内筒３０１に嵌入している。
また、第２湯管１５後端の外周面には、図３及び図４に示すように、多数の細かい山形突条１６と弾性突条１７を形成している。
フランジ付き雄ねじ筒２０は、図５に示すように、フランジ２１と、筒外周面の雄ねじ２２と、内周面２３の前端に刻設した多数の細かい山形突条２４であって前記第２湯管１５の外周面に形成した山形突条１６に嵌合して噛合するものと、弾性突条２６と、浴槽湯口仕切装置１０の第２湯管１５と連通する湯筒２５とを設けている。
給湯通路及び戻湯通路の金具３０は、図１及び図２に示すように、第１湯管１４に外嵌して連通する内筒部３０１と、雄ねじ筒２０の雄ねじ２２に外嵌してめねじ部３５で螺合し、湯筒２５と連通する外筒部３０２と、給湯配管（図示しない）に接続する給湯通路３１及び接続口３１１と、戻湯配管（図示しない）に接続する戻湯通路３２及び接続口３２１とゴムパッキン３４を外嵌したフランジ部３３とを設けている。
浴槽湯口仕切装置１０をフランジ付き雄ねじ筒２０に接続するときは、浴槽湯口仕切装置１０の山形突条１６を、回り止め位置に応じてフランジ付き雄ねじ筒２０の山形突条２４に噛合するように嵌入して、浴槽湯口仕切装置１０の円周状の弾性突条１７を雄ねじ筒２０の内周面２３の弾性突条２６を乗り越えるように押し込み、フランジ付き雄ねじ筒２０のフランジ２１と係合具５０の爪５１が係合すれば、浴槽湯口仕切装置１０とフランジ付き雄ねじ筒２０とは迅速に嵌着できる。
浴槽湯口仕切装置１０をフランジ付き雄ねじ筒２０から脱離させるためには、係合具５０のレバー５２を図１又は図２の図上で左方向に押圧すればよい。
本発明の実施例では、追だき運転時には、図１に示すように、循環風呂釜装置（図示しない）から給湯配管（図示しない）を介して、金具３０の接続口３１１及び給湯通路３１を通じて流入した給湯は、第１湯管１４を経て第１筒１１の出口１１１から流出して金網ストレーナ４０の側面から浴槽内に流出する。このとき第１筒１１の筒側面に設けた第１流通口１１０からは殆ど流出しない。また、第１湯管１４を経て第１筒１１の出口１１１から金網ストレーナ４０の側面より流出する給湯は、途中に従来のような往復動体や屈曲流路がないので大容量で流出する。浴槽内の戻湯は、金網ストレーナ４０の前面及び側面から第２流通口１２０に流入してシーソ弁１３により出口１２１が閉鎖された第２筒１２から第２湯管１５及びフランジ付き雄ねじ筒２０の内筒２５を経て、金具３０の戻湯通路３２及び接続口３２１から戻り湯配管（図示しない）を介して循環風呂釜装置（図示しない）に流入し循環することになる。
なお、循環風呂釜装置（図示しない）から給湯配管（図示しない）を、金具３０の接続口３２１及び戻湯通路３２に接続した場合は、追だき運転時の給湯は、フランジ付き雄ねじ筒２０の内筒２５から第２湯管１５を経て、第２筒１２の出口１２１からシーソ弁板１３を開いて流出し、金網ストレーナ４０の側面から浴槽内に前述した理由により大きな流量で流出する。このとき第２筒１２の筒側面に設けた第２流通口１２０からは殆ど流出しない。また、浴槽内の戻湯は、金網ストレーナ４０の前面及び側面から第１流通口１１０に流入してシーソ弁板１３により出口１１１が閉鎖された第１筒１１から第１湯管１４を経て、金具３０の給湯通路３１及び接続口３１１から戻湯配管（図示しない）を介して循環風呂釜装置（図示しない）に流入し循環することになる。
浴槽湯口仕切装置１０に、図９に示す金網ストレーナ４０を外被させるためには、フランジ付き雄ねじ筒２０のフランジ２１の上半に嵌合部４１を外嵌させて係合させると共に、２個の円柱状突起４２、４２を図４に示す浴槽湯口仕切装置１０の前面１００に設けた直線状突状１８の下方に係合すればよい。
【０００６】
【発明の効果】
以上のように、本発明によれば、浴槽湯口仕切装置１０を、フランジ付き雄ねじ筒２０に接続するため、従来のように、予め雄ねじ筒２０とこれに螺合する給湯通路及び戻湯通路の金具３０の回り止め位置を調整することなく、また、ねじ止めすることなく、雄ねじ筒２０にそのまま嵌入するだけで済み、作業の大幅な簡単化と能率化をはかることができる。
また、浴槽湯口仕切装置１０に金網ストレーナ４０を取り付けるときは、金網ストレーナ４０を雄ねじ筒２０のフランジ２１に外嵌して係合させると共に、金網ストレーナ４０の突起４２を浴槽湯口仕切装置１０の突条１８に係合するだけでよいので、ワンタッチで迅速に金網ストレーナ４０を浴槽湯口仕切装置１０に外被させることができる。
【図面の簡単な説明】
【図１】本発明の実施の形態を示す断面図である。
【図２】本発明の別の実施の形態を示す断面図である。
【図３】図１及び図２に使用した本発明装置の斜視図である。
【図４】図１及び図２に使用した本発明装置の別の斜視図である。
【図５】図１及び図２に使用したフランジ付き雄ねじ筒の斜視図である。
【図６】図１及び図２に使用した本発明装置をフランジ付き雄ねじ筒に接続したときの斜視図である。
【図７】図１及び図２に使用した本発明装置をフランジ付き雄ねじ筒に接続したときの別の斜視図である。
【図８】図１及び図２に使用した本発明装置をフランジ付き雄ねじ筒に接続したときのさらに別の斜視図である。
【図９】図１及び図２に使用した金網ストレーナの斜視図である。
【符号の説明】
１０    浴槽湯口仕切装置
１００  浴槽湯口仕切装置の前面
１１    第１筒
１１０  第１流通口
１１１  第１筒出口
１２    第２筒
１２０  第２流通口
１２１  第２筒出口
１３    シーソ状弁板
１４    第１湯管
１５    第２湯管
１６    山形突条
２０    フランジ付き雄ねじ筒
２１    フランジ
２２    雄ねじ
２３    内周面
２４    山形突条
２５    内筒
３０    給湯通路及び戻湯通路の金具
３１    給湯通路
３１１  接続口
３２    戻湯通路
３２１  接続口
４０    金網ストレーナ
５０    係合具
【図１】
2004261459.tif 000003
【図２】
2004261459.tif 000004
【図３】
2004261459.tif 000005
【図４】
2004261459.tif 000006
【図５】
2004261459.tif 000007
【図６】
2004261459.tif 000008
【図７】
2004261459.tif 000009
【図８】
2004261459.tif 000010
【図９】
2004261459.tif 000011